(57)【要約】【課題】入浴者がミストを充分に浴びながらミストサウナ浴を行う状態と入浴者がミストを直接浴びない状態でミストサウナ浴を行う状態とに的確に切り換えることが可能であり、且つ、且つ、ミストがグリル板の表面や装置内部に付着するおそれが少ない状態で細かなミストにすることが可能となる浴用ミスト装置を提供する。【解決手段】浴室内に向けて湯水をミスト状に噴出するミストノズル２４と、浴室１に臨む状態で設置されたグリル板８における吸気部９を通して浴室１内の空気を吸気し加熱手段１３による空気加熱部を経由してグリル板８における吹き出し部１０から浴室１に吹き出すように通風する通風手段２と、吹き出し部１０を通して吹き出される空気の吹き出し方向を変更する可動ルーバー１５とが備えられている浴用ミスト装置であって、ミストノズル２４が可動ルーバー１５に設けられている。【選択図】図４
2008307115.tif 000002
【特許請求の範囲】
【請求項１】
浴室内に向けて湯水をミスト状に噴出するミストノズルと、前記浴室に臨む状態で設置されたグリル板における吸気部を通して前記浴室内の空気を吸気し空気加熱用の加熱手段を経由して前記グリル板における吹き出し部から前記浴室に吹き出すように通風する通風手段と、前記吹き出し部を通して吹き出される空気の吹き出し方向を変更する可動ルーバーとが備えられている浴用ミスト装置であって、
前記ミストノズルが前記可動ルーバーに設けられている浴用ミスト装置。
【請求項２】
前記可動ルーバーが、前記グリル板の浴室側表面よりも浴室側に突出する状態で前記空気の吹き出し方向を変更するように構成され、
前記ミストノズルが、前記可動ルーバーにおける前記グリル板の浴室側表面よりも浴室側に突出する箇所に設けられている請求項１記載の浴用ミスト装置。
【請求項３】
前記ミストノズルが、前記可動ルーバーによる空気の吹き出し方向と同じ又は略同じ方向に湯水を噴出するように構成されている請求項１又は２記載の浴用ミスト装置。
【請求項４】
前記ミストノズルが、前記可動ルーバーによる空気の吹き出し方向と交差する方向に湯水を噴出するように構成されている請求項１又は２記載の浴用ミスト装置。
【請求項５】
前記ミストノズルが、その湯水噴出方向を変更調節自在に構成されている請求項１又は２記載の浴用ミスト装置。
【請求項６】
前記可動ルーバーが、その回転軸芯周りの回動により、前記グリル板から突出する空気案内状態と、その空気案内状態よりも前記グリル板側に引退し且つ前記吹き出し部を閉じる格納状態とに切り換え自在に構成され、
前記ミストノズルが、前記可動ルーバーの前記格納状態において浴室側に露呈しない状態で前記可動ルーバーに設けられている請求項１〜５のいずれか１項に記載の浴用ミスト装置。
【請求項７】
前記可動ルーバーが、その回動軸芯方向に沿って伸びる一対の案内壁を平行又は略平行する姿勢に並べた状態で前記回転軸芯方向と交差する姿勢の接続壁にて一体状態に接続して構成され、かつ、前記一対の案内壁の空気吹き出し方向での突出長さを異ならせるように形成されて、前記格納状態において、突出長さの短い側の案内壁を突出長さの長い側の案内壁よりも前記吹き出し部の奥側に位置させ且つ突出長さの長い側の案内壁にて前記吹き出し部を閉じる形態で格納されるように構成され、
前記ミストノズルが、前記突出長さの長い側の案内壁の先端部に設けられている請求項６記載の浴用ミスト装置。
【請求項８】
前記可動ルーバーの前記回転軸芯に沿う方向での端部に、前記回転軸芯方向に沿う筒状の一対の流路形成部材をそれらの間に介在させたシール部材にて水漏れ阻止状態にシールし且つ前記回転軸芯に沿う軸芯周りで相対回転自在に嵌合させた接続体が、前記一対の流路形成部材の一方側を前記可動ルーバーと一体回転するように接続した状態で設けられ、
前記接続体における前記可動ルーバー側に設けられる一方の前記流路形成部材が前記ミストノズルと連通接続され、他方の前記流路形成部材が外部から湯水が供給されるように構成されている請求項６又は７に記載の浴用ミスト装置。
【発明の詳細な説明】
【技術分野】
【０００１】
本発明は、浴室内に向けて湯水をミスト状に噴出するミストノズルと、前記浴室に臨む状態で設置されたグリル板における吸気部を通して前記浴室内の空気を吸気し空気加熱用の加熱手段を経由して前記グリル板における吹き出し部から前記浴室に吹き出すように通風する通風手段と、前記吹き出し部を通して吹き出される空気の吹き出し方向を変更する可動ルーバーとが備えられている浴用ミスト装置に関する。
【背景技術】
【０００２】
上記浴用ミスト装置は、例えば浴室の天井等に設置されて、前記ミストノズルから温水（以下、ミストという）をミスト状に噴出させながら前記吹き出し部から加熱手段にて加熱された空気を吹き出すことにより、浴室内でミストサウナ浴を行えるようにしたものであるが、このような浴用ミスト装置において、従来では、次のように構成されたものがあった。
【０００３】
すなわち、当該装置が浴室における浴槽の上方側箇所に設置されて、当該装置の浴室に臨む状態で設置されたグリル板に前記吸気部と前記吹き出し部とが並設されており、前記吹き出し部に備えられる前記可動ルーバーによって吹き出し部から吹き出される空気の吹き出し方向を変更することができるよう構成され、一方、前記ミストノズルは、前記吸気部における前記吹き出し部とは反対側の側脇に位置させる状態でミストの噴出方向を下向きで且つ浴室の洗い場側に向けて傾斜する斜め方向に固定状態で設定する状態で設けられる構成となっていた（例えば、特許文献１参照。）。
【０００４】
そして、吹き出し部から吹き出される温風の吹き出し方向を洗い場に向かうように設定してミスト及び温風が共に洗い場に居る入浴者に向けて降りかかるようにしたり、前記温風の吹き出し方向を下方側に向かうように設定して、前記温風をエアーカーテンとして作用させてミストノズルから噴出されるミストが洗い場に流動するのを抑制して洗い場に居る入浴者にミスト及び温風が直接降りかからないようにすること等により、種々のミストサウナ浴を行えるようになっている。
【０００５】
【特許文献１】特開２００６−６８１３０号公報
【発明の開示】
【発明が解決しようとする課題】
【０００６】
上記従来構成では、前記ミストノズルが、前記吸気部における前記吹き出し部とは反対側の側脇に位置させる状態で設けられる構成となっているから、ミスト及び温風が共に洗い場に向けて降りかかるような使用状態に設定した場合においては、ミストノズルから噴出されるミストと吹き出し部から吹き出される温風とが夫々別々に洗い場側に向けて流動することになるが、一般に、ミストノズルからのミストの噴出力は温風の吹き出し力よりも小さいものとなっているため、ミストが充分に入浴者に向けて降りかかることがなく、入浴者がミストを充分に浴びながらミストサウナ浴を行うことができないおそれがあった。
【０００７】
又、前記温風の吹き出し方向を下方側に向かうように設定して洗い場に居る入浴者に向けてミストが直接降りかからないような使用状態に設定した場合においては、前記温風がエアーカーテンとして作用するように温風の吹き出し方向を設定しても、ミストノズルからミストが洗い場側に向けて噴出されるので、ミストの全量を温風によって遮ることができずに入浴者に向けてミストの一部が流動することがあり、入浴者がミストを直接浴びない状態でミストサウナ浴を行うことができないおそれがあった。
【０００８】
そして、上記したようなミストサウナ浴を行う場合において、ミスト状にする湯水の粒径が小さい細かなミストにして噴霧させた方が粒径が大きいミストに比べて体感的に良好な状態となるものであるが、細かなミストにするためにはミストノズルから湯水を噴霧させるときの噴霧角をできるだけ大きくする方が好ましいのであるが、上記従来構成では、ミストノズルの噴霧角を大きくさせると、ミストノズルから噴出される湯水のうちの一部がグリル板に向けて降りかかるおそれが大となるものであった。
【０００９】
すなわち、上記従来構成では、ミストの噴出方向を下向きで且つ洗い場側に向けて傾斜する斜め方向に固定状態で設定する構成となっているが、そのミストの噴出方向というのは、ミストノズルから噴出されるときの噴霧角の中心に位置する方向である。そして、上述したように細かなミストにするための適正な噴霧角を広げるようにすると、噴霧角の中心から径方向外方に向けて噴霧領域が広がっていくことになるから、大きな噴霧角に設定すると、ミストノズルから噴出される湯水のうち前記噴霧領域の径方向外方側の一部のものがグリル板に向けて降りかかるおそれが大となるものである。その結果、ミストがグリル板の表面に付着して水滴になって入浴者に降りかかる不利が発生したり、通風手段の通風作動に伴う吸気作用によってミストが吸気部を通して装置内に吸引されて装置内部に付着して、例えば装置内部にカビを発生させる要因になる等の不利がある。その結果、従来構成では、細かなミストにて良好なミストサウナ浴を行うことができないという不利があり、この点での改良が望まれていた。
【００１０】
本願発明は、かかる点に着目してなされたものであり、その目的は、使用者の好みに応じて良好な状態でミストサウナ浴を行うことが可能となる浴用ミスト装置を提供する点にある。
【課題を解決するための手段】
【００１１】
本発明に係る浴用ミスト装置は、浴室内に向けて湯水をミスト状に噴出するミストノズルと、前記浴室に臨む状態で設置されたグリル板における吸気部を通して前記浴室内の空気を吸気し空気加熱用の加熱手段を経由して前記グリル板における吹き出し部から前記浴室に吹き出すように通風する通風手段と、前記吹き出し部を通して吹き出される空気の吹き出し方向を変更する可動ルーバーとが備えられているものであって、その第１特徴構成は、前記ミストノズルが前記可動ルーバーに設けられている点にある。
【００１２】
第１特徴構成によれば、ミストノズルが可動ルーバーに設けられているから、ミストノズルにより湯水が浴室内にミスト状に噴出される箇所と通風手段によって通風される空気が浴室内に吹き出される箇所とが近接する状態となり、ミストノズルから噴出されるミストはミストノズルからの噴出力だけで流動するのではなく、ミスト噴出箇所と近接する箇所から吹き出される空気の流動作用によってミストが持ち運ばれることになる。
【００１３】
すなわち、ミスト及び温風を充分に浴びながらミストサウナ浴を行う場合には、前記吹き出し部を通して吹き出される空気の吹き出し方向を入浴者に向かうように設定すると、ミストノズルからの噴出力だけで流動する場合に比べて入浴者に向けて充分にミストを流動させることになる。又、ミスト及び温風を直接浴びない状態でミストサウナ浴を行う場合には、前記吹き出し部を通して吹き出される空気の吹き出し方向を入浴者が存在しない方向に向かうように設定すると、ミスト及び温風が入浴者が存在しない箇所に流動させることになる。その結果、ミスト及び温風を充分に浴びながらミストサウナ浴を行う状態とミスト及び温風を直接浴びない状態でミストサウナ浴を行う状態とに的確に切り換えることが可能となり、使い勝手のよいものとなる。その結果、入浴者がミスト及び温風を充分に浴びながらミストサウナ浴を行う状態と入浴者がミスト及び温風を直接浴びない状態でミストサウナ浴を行う状態とに的確に切り換えることが可能となった。
【００１４】
又、ミストサウナ浴を行うに際して体感的に良好な状態にすべく細かなミストにするために、ミストノズルから湯水を噴霧させるときの噴霧角を大きくすると、その噴霧角の広がりによってミストの一部がグリル板に向けて飛散するおそれがあるが、第１特徴構成によれば、ミスト噴出箇所に対して近接する箇所から吹き出される空気の流動によって空気の吹き出し方向に沿ってミストを持ち運ぶことになり、ミストがグリル板に向けて飛散することを回避させることが可能となるので、ミストがグリル板の表面や装置内部に付着するおそれを少なくすることが可能となる。
【００１５】
尚、上述した如く噴霧角を大きくすると、例えばミストを充分に浴びることが可能なようにミストノズルを複数並べて設けるような場合であれば、隣り合うミストノズルから噴出されるミスト同士が衝突してミストの粒径が大きくなってしまいミストサウナの快適性が損なわれるおそれがあるが、このようにミストノズルを複数並べて設けるような場合であっても、ミスト噴出箇所と近接する箇所から吹き出される空気の流動によってミストが空気吹き出し方向に向けて持ち運ばれるので、隣り合うミストノズルから噴出したミスト同志が衝突することを回避させて細かなミストにより体感的に良好な状態でミストサウナ浴を行うことが可能となる。
【００１６】
従って、第１特徴構成によれば、使用者の好みに応じて良好な状態でミストサウナ浴を行うことが可能となる浴用ミスト装置を提供できるに至った。
【００１７】
本発明の第２特徴構成は、第１特徴構成に加えて、前記可動ルーバーが、前記グリル板の浴室側表面よりも浴室側に突出する状態で前記空気の吹き出し方向を変更するように構成され、前記ミストノズルが、前記可動ルーバーにおける前記グリル板の浴室側表面よりも浴室側に突出する箇所に設けられている点にある。
【００１８】
第２特徴構成によれば、前記可動ルーバーが前記グリル板の浴室側表面よりも浴室側に突出する状態で前記空気の吹き出し方向を変更するので、前記グリル板の浴室側表面よりも内方側に入り込んだ状態で前記空気の吹き出し方向を変更する構成に比べて、空気の吹き出し方向に制約を受けることがなく吹き出し方向を大きく変更させることが可能である。そして、前記ミストノズルが、前記可動ルーバーにおける前記グリル板の浴室側表面よりも浴室側に突出する箇所に設けられているので、ミストの噴出箇所を前記グリル板の浴室側表面から浴室側に離間させた箇所に位置させることができ、ミストノズルから噴出されるミストがグリル板に飛散することを極力回避させることができる。
【００１９】
従って、第２特徴構成によれば、ミストノズルから噴出されるミストがグリル板に飛散することを極力回避して、ミストがグリル板の表面や装置内部に付着するおそれをより一層少なくすることが可能な浴用ミスト装置を提供できるに至った。
【００２０】
本発明の第３特徴構成は、第１特徴構成又は第２特徴構成に加えて、前記ミストノズルが、前記可動ルーバーによる空気の吹き出し方向と同じ又は略同じ方向に湯水を噴出するように構成されている点にある。
【００２１】
第３特徴構成によれば、前記ミストノズルが前記可動ルーバーによる空気の吹き出し方向と同じ又は略同じ方向に湯水を噴出するので、前記ミストノズルから噴出されるミストがその噴出方向と同じ又は略同じ方向に向けて吹き出される空気によって持ち運ばれることになるから、ミストは、ミストノズルからの噴出力に加えて可動ルーバーから吹き出される空気の吹き出し力を利用して的確に空気吹き出し方向に流動させることができる。
【００２２】
従って、第３特徴構成によれば、前記空気の吹き出し方向を入浴者に向かうように設定したときに入浴者に向けてミストを流動させること、及び、前記空気の吹き出し方向を入浴者が存在しない方向に向かうように設定したときにミストが入浴者が存在しない箇所に流動させることをより一層的確に行うことが可能となる浴用ミスト装置を提供できるに至った。
【００２３】
本発明の第４特徴構成は、第１特徴構成又は第２特徴構成に加えて、前記ミストノズルが、前記可動ルーバーによる空気の吹き出し方向と交差する方向に湯水を噴出するように構成されている点にある。
【００２４】
第４特徴構成によれば、前記ミストノズルが前記可動ルーバーによる空気の吹き出し方向と交差する方向に湯水を噴出するので、ミストノズルから噴出されるミストが、その噴出方向と交差する方向に向けて吹き出される空気と衝突して破砕されることになって、より細かなミストにすることが可能となる。
【００２５】
従って、第４特徴構成によれば、ミストをより細かなものにして体感的に良好な状態でミストサウナ浴を行うことが可能な浴用ミスト装置を提供できるに至った。
【００２６】
本発明の第５特徴構成は、第１特徴構成又は第２特徴構成に加えて、前記ミストノズルが、その湯水噴出方向を変更調節自在に構成されている点にある。
【００２７】
第５特徴構成によれば、前記ミストノズルが、その湯水噴出方向を変更調節自在に構成されているから、例えば、ミストを充分に浴びながらミストサウナ浴を行うことが望まれるときは、ミストノズルの湯水噴出方向を可動ルーバーによる空気の吹き出し方向と同じ又は略同じ方向に調整し、又、より細かなミストにさせたいときは、ミストノズルの湯水噴出方向を可動ルーバーによる空気の吹き出し方向と交差する方向に調整する等、使用者の好みに応じて適切な噴出方向に調整することができる。
【００２８】
従って、第５特徴構成によれば、使用者の好みに応じて適切な噴出方向に調整することで使い勝手のよい浴用ミスト装置を提供できるに至った。
【００２９】
本発明の第６特徴構成は、第１特徴構成〜第５特徴構成のいずれかに加えて、前記可動ルーバーが、その回転軸芯周りの回動により、前記グリル板から突出する空気案内状態と、その空気案内状態よりも前記グリル板側に引退し且つ前記吹き出し部を閉じる格納状態とに切り換え自在に構成され、前記ミストノズルが、前記可動ルーバーの前記格納状態において浴室側に露呈しない状態で前記可動ルーバーに設けられている点にある。
【００３０】
第６特徴構成によれば、前記可動ルーバーが前記空気案内状態では前記グリル板から突出する状態となるので、空気の吹き出し方向に制約を受けることがなく吹き出し方向を大きく変更させることが可能であり、グリル板側に引退し且つ前記吹き出し部を閉じる格納状態に切り換えることで、装置を使用していないときは、グリル板から大きく突出しない状態で可動ルーバーを格納できる。そして、ミストノズルが可動ルーバーの格納状態において浴室側に露呈しない状態で可動ルーバーに設けられているから、可動ルーバーを格納した状態ではミストノズルが浴室側に露呈しないので、美観を損ねることなく見栄えのよい状態で格納できることになる。
【００３１】
従って、第６特徴構成によれば、装置を使用していないときには、美観を損ねることなく見栄えのよい状態で可動ルーバーやミストノズルを格納することができる浴用ミスト装置を提供できるに至った。
【００３２】
本発明の第７特徴構成は、第６特徴構成に加えて、前記可動ルーバーが、その回動軸芯方向に沿って伸びる一対の案内壁を平行又は略平行する姿勢に並べた状態で前記回転軸芯方向と交差する姿勢の接続壁にて一体状態に接続して構成され、かつ、前記一対の案内壁の空気吹き出し方向での突出長さを異ならせるように形成されて、前記格納状態において、突出長さの短い側の案内壁を突出長さの長い側の案内壁よりも前記吹き出し部の奥側に位置させ且つ突出長さの長い側の案内壁にて前記吹き出し部を閉じる形態で格納されるように構成され、前記ミストノズルが、前記突出長さの長い側の案内壁の先端部に設けられている点にある。
【００３３】
第７特徴構成によれば、前記可動ルーバーは、格納状態では、前記一対の案内壁のうちの突出長さの短い側の案内壁が突出長さの長い側の案内壁よりも前記吹き出し部の奥側に位置するので、突出長さの短い側の案内壁が前記吹き出し部の奥側に位置し、突出長さの長い側の案内壁が前記吹き出し部の外方側に位置してその突出長さの長い側の案内壁にて前記吹き出し部を閉じる形態で格納されることになる。つまり、突出長さの短い側の案内壁を奥側に位置させるので格納しても邪魔になることがなく、しかも、突出長さの長い側の案内壁にて前記吹き出し部を的確に閉じることができる。
【００３４】
そして、前記ミストノズルが突出長さの長い側の案内壁の先端部に設けられているから、前記ミストノズルは、前記可動ルーバーが空気案内状態にあるときは、突出長さの長い側の案内壁の先端部、つまり、最も外方側に突出している箇所に位置するので、ミストノズルをグリル部の表面から確実に離間させた状態でミストの噴出を行うことができる。そして、前記可動ルーバーが格納状態にあるときは、突出長さの長い側の案内壁にて吹き出し部を閉じる状態となるから、その案内壁の先端部に設けられるミストノズルは、浴室側に露呈しない状態で適正に格納されることになる。
【００３５】
従って、第６特徴構成によれば、装置の使用状態では、ミストノズルをグリル部の表面から確実に離間させた状態でミストの噴出を行うことによりミストがグリル板の表面や装置内部に付着するおそれを少なくすることができ、装置を使用していないときには、美観を損ねることなく見栄えのよい状態で可動ルーバーやミストノズルを格納することができる浴用ミスト装置を提供できるに至った。
【００３６】
本発明の第８特徴構成は、第６特徴構成又は第７特徴構成に加えて、前記可動ルーバーの前記回転軸芯に沿う方向での端部に、前記回転軸芯方向に沿う筒状の一対の流路形成部材をそれらの間に介在させたシール部材にて水漏れ阻止状態にシールし且つ前記回転軸芯に沿う軸芯周りで相対回転自在に嵌合させた接続体が、前記一対の流路形成部材の一方側を前記可動ルーバーと一体回転するように接続した状態で設けられ、前記接続体における前記可動ルーバー側に設けられる一方の前記流路形成部材が前記ミストノズルと連通接続され、他方の前記流路形成部材が外部から湯水が供給されるように構成されている点にある。
【００３７】
第８特徴構成によれば、前記可動ルーバーの前記回転軸芯に沿う方向での端部に前記接続体が設けられ、その接続体は、前記回転軸芯方向に沿う筒状の一対の流路形成部材をそれらの間に介在させたシール部材にて水漏れ阻止状態にシールし且つ前記回転軸芯に沿う軸芯周りで相対回転自在に嵌合させた状態で構成される。そして、前記接続体における前記可動ルーバー側に設けられる一方の前記流路形成部材が前記ミストノズルと連通接続され、他方の前記流路形成部材に対して外部から湯水が供給されることになる。
【００３８】
すなわち、前記接続体における筒状の一対の流路形成部材は相対回転自在に嵌合するので、この接続体を可動ルーバーの回転軸芯上に位置させて備えることにより、一対の流路形成部材が相対回転することによって可動ルーバーの回動を許容する状態で支持することが可能であり、しかも、その回転軸芯上に位置する一対の流路形成部材を通して外部から供給される湯水をミストノズルに供給することが可能となる。つまり、前記接続体を利用して可動ルーバーの回転を支持するための構成をミストノズルに湯水を通流させるための構成に兼用させることが可能となる。
【００３９】
従って、第８特徴構成によれば、可動ルーバーの回転を支持するための構成をミストノズルに湯水を通流させるための構成に兼用させることにより、簡素な構成でミストノズルを可動ルーバーに設けることが可能な浴用ミスト装置を提供できるに至った。
【発明を実施するための最良の形態】
【００４０】
本発明にかかる浴用ミスト装置の実施形態を図面に基づいて説明する。
この浴用ミスト装置は、図１に示すように、浴室１をミスト対象空間として、浴室１の天井裏に入り込ませた状態で設置されている。この浴用ミスト装置は、詳細については後述するが、ミストサウナ浴を行う機能、浴室１内を暖房する機能、浴室１内を乾燥させる機能、浴室１内の空気を循環通風させる機能、浴室１を換気する機能等を備えている。
【００４１】
そして、この浴用ミスト装置は、浴室１内に向けて湯水をミスト状に噴出するミストノズル２４と、浴室１に臨む状態で設置されたグリル板８における吸気部９を通して浴室１内の空気を吸気し空気加熱用の加熱手段としての熱交換器１３を経由してグリル板８における吹き出し部１０から浴室１に吹き出すように通風する通風手段としての循環ファン２と、前記吹き出し部１０を通して吹き出される空気の吹き出し方向を変更する可動ルーバー１５とを備えて構成されている。
【００４２】
以下、具体的な構成について説明を加える。
この浴用ミスト装置における装置本体部３は、図２〜図４に示すように、浴室１内の浴槽Ａの上部に相当する箇所に浴室１の天井裏に入り込ませた状態で、天井６の開口部６ａに吊り下げ支持具７により吊り下げ支持されて設置されている。そして、前記装置本体部３は、本体ケーシング３ａ内に、吸気部９を通して浴室１内の空気を吸引して吹き出し部１０を通して空気を吹き出すための循環通風路１２が形成され、この循環通風路１２には、その循環通風路１２に対して通風作用する通風手段としての循環ファン２と循環通風路１２を通風する空気に対して加熱作用する熱交換器１３とが備えられている。又、前記装置本体部３には、その熱交換器１３に熱源機Ｇからの温水の供給を断続する熱動弁１４、吹き出し部１０を通して吹き出される空気の吹き出し方向を変更自在な可動ルーバー１５、浴室１内の空気を吸引して排気ダクト１６を通して屋外に排気する換気ファン１７等が備えられている。
【００４３】
又、前記装置本体部３の本体ケーシング３ａにおける浴室１に臨む側の開口部がグリル板８によって覆われる構成となっており、このグリル板８には、前記吸気部９及び前記吹き出し部１０とが並ぶ状態で形成されている。
【００４４】
前記循環ファン２は、水平軸心周りで回転して、空気の吸引と排気とを共に回転軸芯と直交する方向に沿って行うクロスフローファンにて構成され、回転軸芯方向の略全幅にわたる広い範囲にわたって通風作用するように構成され、この循環ファン２を作動させることにより、吸気部９を通して浴室１内の空気を吸引し熱交換器１３を経由して吹き出し部１０を通して浴室１内に吹き出すように通風する構成となっている。
【００４５】
又、前記循環ファン２は、駆動用電動モータ（図示せず）を制御することによって、浴室１内に通風される空気の通風量が変更されるように構成され、浴室１内に通風される空気の通風量が強、弱の大小２段階に変更されるように構成されている。
【００４６】
前記換気ファン１７は、縦軸芯周りで回転して、ファンケース１７ａの下方側から空気を吸引して、本体ケーシング３ａの横一側面に形成した排出口１８を通して排気ダクト１６に向けて空気を通風させるように構成されている。
【００４７】
前記循環通風路１２における吹き出し側部分は、上下方向に沿う通風経路を形成するように平面視で略長方形であり且つ浴室側端部が最も幅広で装置内方側ほど順次幅狭となる下拡がりの角筒状に形成された固定側筒部１９にて構成されている。この固定側筒部１９の下側開口部により前記吹き出し部１０が形成されており、この固定側筒部１９における筒内部に可動ルーバー１５が横向き軸芯周りで回動自在に支持される状態で備えられ、この可動ルーバー１５を向き変更操作するための向き変更用電動モータＭが固定側筒部１９の横一側箇所に設置されている。
【００４８】
前記可動ルーバー１５は、向き変更用電動モータＭにより浴室１内に吹き出す空気の方向を変更することができるように構成され、さらに、その横方向に沿う回転軸芯周りの回動により、グリル板８から突出する空気案内状態（図４（イ）参照）と、その空気案内状態よりもグリル板８側に引退し且つ吹き出し部１０を閉じる格納状態（図４（ロ）参照）とに切り換え自在に構成されている。
【００４９】
又、前記可動ルーバー１５は、図５に示すように、その回動軸芯方向に沿って伸びる一対の案内壁２０，２１を平行又は略平行する姿勢に並べた状態で回転軸芯方向と交差する姿勢の接続壁２２にて一体状態に接続して構成され、かつ、前記一対の案内壁２０，２１の空気吹き出し方向での突出長さを異ならせるように形成されて、前記格納状態において、突出長さの短い側の案内壁２１（以下、幅狭案内壁という）を突出長さの長い側の案内壁２０（以下、幅広案内壁という）よりも吹き出し部１０の奥側に位置させ且つ幅広案内壁２０にて吹き出し部１０を閉じる形態で格納されるように構成されている。一対の案内壁２０，２１の間には、吹き出される空気の流れを整えるための複数の整流板２３が設けられており、それら複数の整流板２３は回転軸芯方向に沿って適宜間隔をあけて一対の案内壁２０，２１同志を接続する状態で設けられている。
【００５０】
そして、熱源機Ｇから供給される温水を浴室内に向けてミスト状に噴出するミストノズル２４が前記可動ルーバー１５に設けられる構成となっている。又、可動ルーバー１５が、グリル板８の浴室側表面から浴室１側に突出する状態で空気の吹き出し方向を変更するように構成され、ミストノズル２４が、可動ルーバー１５におけるグリル板８の浴室１側表面よりも浴室１側に突出する箇所に設けられている。又、ミストノズル２４が、可動ルーバー１５による空気の吹き出し方向と同じ又は略同じ方向に湯水を噴出するように構成されている。
【００５１】
すなわち、図４及び図５に示すように、前記ミストノズル２４が可動ルーバー１５における前記幅広案内壁２０の先端部に設けられている。つまり、この幅広案内壁２０は前記幅狭案内壁２１に比べて厚さが大となる状態で形成されており、この幅広案内壁２０の吹き出し方向側の先端面２０ａにその壁面方向すなわち空気吹き出し方向に沿うようにミスト噴出方向が設定された３個のミストノズル２４が回転軸芯方向に適宜間隔をあけて設けられている。
【００５２】
次に、前記各ミストノズル２４に対する湯水の供給構造について説明する。
可動ルーバー１５の回転軸芯に沿う方向での端部に、回転軸芯方向に沿う筒状の一対の流路形成部材２５，２６をそれらの間に介在させたシール部材２７にて水漏れ阻止状態にシールし且つ前記回転軸芯に沿う軸芯周りで相対回転自在に嵌合させた接続体２８が、一対の流路形成部材２５，２６の一方側を可動ルーバー１５と一体回転するように接続した状態で設けられ、前記接続体２８における可動ルーバー１５側に設けられる一方の流路形成部材２５がミストノズル２４と連通接続され、他方の流路形成部材２６が外部から湯水が供給されるように構成されている。
【００５３】
説明を加えると、図６に示すように、可動ルーバー１５の回動軸芯方向両側に設けられる一対の接続壁２２に夫々、可動ルーバー１５と一体的に回転する状態で設けられて前記固定側筒部１９に形成された挿通孔２９に回動自在に嵌合される回動用支軸３０、３１が一体的に設けられ、一方の回動用支軸３０は向き変更用電動モータＭの駆動軸に連動連結されている。そして、他方の回動用支軸３１が筒状に形成されて前記一方の流路形成部材２５として構成され、この筒状の回動用支軸３１に前記他方の流路形成部材２６としての給湯用接続継手３２が内嵌装着されている。これら筒状の回動用支軸３１と給湯用接続継手３２とは、それらの間にＯリングからなるシール部材２７が介装されており、水漏れ阻止状態にシールし且つ回転軸芯に沿う軸芯周りで相対回転自在に嵌合する構成となっている。又、給湯用接続継手３２が嵌合状態で抜け外れしないように外方側から保持部材３３によって抜け止め保持する構成となっている。
【００５４】
図５及び図６に示すように、前記筒状の回動用支軸３１が設けられる接続壁２２、及び、前記幅広案内壁２０の夫々の内部には、前記筒状の回動用支軸３１の内部空間からミストノズル２４に連通する通水路Ｌが形成されている。又、前記給湯用接続継手３２に対しては温水供給路３４を介して所定温度に加熱された湯水が供給されるように構成されている。
【００５５】
そして、ミストノズル２４は幅広案内壁２０の空気吹き出し方向側の先端面に設けられているので、可動ルーバー１５が格納状態に切り換えられると、幅広案内壁２０の先端部が固定側筒部１９の開口側端部よりも装置内方側に入り込んだ状態となるから、ミストノズル２４が可動ルーバー１５における格納状態においては浴室１側に露呈しない状態となる（図４（ロ）参照）。つまり、ミストノズル２４は、可動ルーバー１５における格納状態においては浴室１側に露呈しない箇所に設けられることになる。
【００５６】
上述したように、熱源機Ｇからミストノズル２４に供給される湯水が可動ルーバー１５が固定側筒部１９に対して回動自在に支持される回動支点部分を通して通水するように構成され、可動ルーバー１５の回転を支持するための回動支点部分をミストノズル２４に湯水を通流させるための構成に兼用するようにしている。
【００５７】
図３に示すように、前記熱源機Ｇからミストノズル２４への温水供給路３４には、上流側から、その温水供給路３４を通流する温水の温度を検出する温水サーミスタ３５、ミストノズル２４への温水の供給を断続する温水供給断続手段としての温水供給断続弁３６が設けられている。また、温水供給路３４における温水サーミスタ３５と温水供給断続弁３６との間には、温水供給路３４に残存していた湯水などを排出するための温水排出路３７が分岐され、その残存していた湯水を浴室内や屋外に排出するようにしている。
【００５８】
図４に示すように、前記装置本体部３と熱源機Ｇなどの動作を制御するマイクロコンピュータを利用した制御部４が設けられ、その制御部４に双方向に通信可能なリモコン操作部Ｒ１が浴室１に隣接する脱衣室あるいは台所に設けられている。そのリモコン操作部Ｒ１には、暖房運転を指令する暖房運転スイッチ３８、換気運転を指令する換気運転スイッチ３９、乾燥運転を指令する乾燥運転スイッチ４０、涼風運転を指令する涼風運転スイッチ４１、ミストサウナ運転を指令するミストサウナスイッチ４２、ミスト運転を指令するミストスイッチ４３、可動ルーバー１５による空気吹き出し方向を変更する風向スイッチ４４等が備えられている。
又、このリモコン操作部Ｒ１と同様な構成の浴室用のリモコン操作部Ｒ２が浴室１内に設けられている。前記制御部４は、このようなリモコン操作部Ｒ１、Ｒ２の操作指令に基づいて対応する運転を実行するように構成されている。
【００５９】
前記暖房運転では、換気ファン１７を停止し且つ循環ファン２を作動させて、浴室１内の温度が暖房用の設定温度に維持されるように、熱動弁１４の開閉を制御して熱交換器１３に熱媒としての温水を循環供給し、この熱交換器１３により加熱された循環空気を吹き出し部１０から浴室１内に吹き出すようにして、浴室１内の暖房を行うことができる。そして、暖房運転スイッチ３８を押す毎に浴室１内に通風される空気の通風量が強と弱とに交互に切り換わることになる。
【００６０】
前記換気運転では、循環ファン２の作動を停止し且つ熱動弁１４を閉状態に維持した状態で、換気ファン１７を作動させて、可動ルーバー１５が閉状態となるように通風用電動モータＭにて可動ルーバー１５を調整して、浴室１内から吸引した空気を排気することにより、浴室１内の換気を行うことができる（図４の（ロ）参照）。
【００６１】
前記乾燥運転では、循環ファン２を作動させて浴室１内の温度が乾燥用の設定温度範囲に維持されるように熱動弁１４の開閉を制御して熱交換器１３に温水を循環供給させ、且つ、換気ファン１７を作動させて浴室１内から吸引した空気の一部を排気ダクト１６を通して屋外に排出させながら、熱交換器１３により加熱された循環空気を吹き出し部１０から浴室１内に吹き出すようにして、浴室１内の乾燥を行うことができる。
【００６２】
前記涼風運転では、熱動弁１４を閉状態に維持した状態で循環ファン２及び換気ファン１７を共に作動させて、浴室１内から吸引した空気の一部を排気ダクト１６を通して屋外に排出させながら、浴室１内から吸引した空気を加熱することなく循環通風路１２を通して浴室１内に吹き出すようにして、例えば夏場等において涼風を吹き出すことができる。
【００６３】
前記ミスト運転では、換気ファン１７及び循環ファン２を共に停止させた状態で、熱源機Ｇから供給される温水をミストとしてミストノズル２４から噴出させるようにして、浴室１を温風の吹き出しのないミスト状態にすることができる。
【００６４】
前記ミストサウナ運転では、図４の（イ）に示すように、熱源機Ｇから供給される温水をミストとしてミストノズル２４から噴出させるとともに、換気ファン１７を停止させた状態で、循環ファン２を強状態または弱状態で作動させ、浴室１内の温度が設定温度に維持されるように熱動弁１４の開閉を制御して熱交換器１３に温水を循環供給し、この熱交換器１３により加熱された循環空気を吹き出し部１０から浴室１内に吹き出すようにして、浴室１内でミストサウナ浴を行うことができる。ちなみに、この実施形態では、ミストノズル２４から噴出されるミストの噴霧角は約６０°程度に設定されている。
【００６５】
このミストサウナ運転においては、図８に示すように、入浴者の好みに応じて風向スイッチ４４を操作することによって可動ルーバー１５による温風の吹き出し方向を種々の方向に変更調整することができる。つまり、この風向スイッチ４４を操作する毎に可動ルーバー１５が設定角度ずつ向き変更して吹き出し方向が変更され、風向スイッチ４４の操作を終了するとその状態が維持されるようになっている。
【００６６】
入浴者が例えば浴室１の洗い場Ｂに居るときにミストを充分に浴びながらミストサウナ浴を行いたいときには、風向スイッチ４４を操作して図７（ロ）に示すように可動ルーバー１５による空気の吹き出し方向を洗い場Ｂに向かうように風向を調整することで対応できる。この場合、ミストノズル２４から噴出されるミストが吹き出される温風によって一緒に運ばれることになり、入浴者が充分にミスト及び温風を浴びることができる。又、ミスト及び温風を直接浴びたくないときには、風向スイッチ４４を操作して図７（イ）に示すように可動ルーバー１５による空気の吹き出し方向を下向きに調整することで対応できる。
【００６７】
尚、このミストサウナ運転では、温水サーミスタ３５による検出温度が許容設定範囲内のときだけミストを洗い場Ｂに向けて噴出するように温水供給断続弁３６を断続させるようにして、冷水や異常高温の温水等、ミストとして噴出すると入浴者にかえって不快感を与える可能性のあるときには、ミストノズル２４から噴出されることを阻止するようにしている。
【００６８】
〔別実施形態〕
以下、別実施形態を列記する。
【００６９】
（１）上記実施形態では、前記ミストノズル２４から噴出されるミストの噴霧角は約６０°程度に設定するものとしたが、このような構成に代えて、例えば図９（イ）に示すように、ミストノズル２４から噴出されるミストの噴霧角を例えば８０°程度になるように広く設定するようにしてもよい。このように構成すると、噴出される湯水の粒径がより小さくなって細かなミストにて体感的に良好な状態のミストサウナ浴を行うことができる。
【００７０】
（２）上記実施形態では、前記ミストノズル２４によるミストの噴出方向が前記可動ルーバー１５による加熱された空気の吹き出し方向と同じ又は略同じ方向になるように設定したが、このような構成に限らず、例えば、図９（ロ）に示すように、前記ミストノズル２４が、前記可動ルーバー１５による空気の吹き出し方向と交差する方向に湯水を噴出するように構成するものでもよい。このように構成すると、ミストノズル２４から噴出されるミストが、その噴出方向と交差する方向に向けて吹き出される空気と衝突してミストが破砕されることになってミストをより細かくすることができる。
【００７１】
（３）上記実施形態では、前記ミストノズル２４のミストの噴出方向が一定である構成としたが、このような構成に代えて、前記ミストノズル２４が、その湯水噴出方向を変更調節自在に構成されるものでもよい。例えば、図１０に示すように、上記実施形態における前記幅広案内壁２０に対応するミストノズル２４の固定側の支持部５０に対して支持される噴出作用部５１が円弧状に形成され、支持部５０が円弧状の噴出作用部５１をその円弧形状に沿って相対回動自在に支持する構成とし、ミスト噴出方向を手動操作にて変更調節可能で且つ摩擦保持することで変更状態を維持することが可能な構成としてもよい。
【００７２】
（４）上記実施形態では、前記ミストノズル２４を前記可動ルーバー１５の前記格納状態において浴室１側に露呈しない状態で前記可動ルーバー１５に設ける構成として、前記ミストノズル２４が前記幅広案内壁２０の吹き出し方向側の先端面２０ａに設けられる構成としたが、このような構成に代えて、前記ミストノズル２４が前記幅広案内壁２０の前記幅狭案内壁２１に対向する側面に備えられて、前記可動ルーバー１５が格納状態に切り換えられると前記ミストノズル２４が前記幅広案内壁２０の上側つまり装置内奥側に隠れる状態で設けるようにしてもよい。
【００７３】
（５）上記実施形態では、前記ミストノズル２４を前記可動ルーバー１５における前記グリル板８の浴室側表面よりも浴室側に突出する箇所に設ける構成として、前記ミストノズル２４が前記幅広案内壁２０の空気吹き出し方向側の先端面に設けられる構成としたが、このような構成に代えて、前記ミストノズル２４を前記複数の整流板２３の空気吹き出し方向側の先端面に設ける構成としてもよい。
【００７４】
（６）上記実施形態では、前記可動ルーバー１５として、前記幅広案内壁２０と前記幅狭案内壁２１とを前記接続壁２２で接続する構成として１つの横軸芯周りで回動する構成のものを例示したが、このような構成に代えて、例えば、図１１に示すように、各別に回動自在に支持された複数の風向変更板５２を操作体５３にて一体的に回動操作させて空気吹き出し方向を変更する構成等、種々の形態の可動ルーバー１５を適用することができる。
【００７５】
（７）上記実施形態では、前記ミストノズル２４への湯水の供給構成として、前記可動ルーバー１５が固定側筒部１９に対して回動自在に支持される回動支点部分を通して通水する構成とするにあたり、前記可動ルーバー１５と一体的に回動する前記他方の回動用支軸３１が筒状に形成され且つ固定側筒部１９に対して回動自在に支持される構成とし、この筒状の回動用支軸３１に前記給湯用接続継手３２が内嵌装着される構成としたが、このような構成に代えて、前記給湯用接続継手に対応する筒状の接続用の部材を回動用支持部として機能させるべく固定側筒部１９に対して回動自在に支持させる構成とし、且つ、その筒状の接続用の部材に可動ルーバーと一体的に回動する他方の回動用支軸を相対回動自在に内嵌装着させる構成等、種々の形態で実施することができる。
【００７６】
（８）上記実施形態では、前記ミストノズル２４への湯水の供給構成として、前記可動ルーバー１５が固定側筒部１９に対して回動自在に支持される回動支点部分を通して通水するように構成したものを例示したが、このような構成に代えて、例えば、外部の温水供給路と可動ルーバーに備えられるミストノズルとを可撓性の供給ホースで接続して、可動ルーバーの向き変更操作を許容しながら湯水を供給できるように構成してもよい。
【００７７】
（９）上記実施形態では、１つの向き変更用電動モータＭにより向き変更操作される状態で１つの可動ルーバー１５が設けられる構成としたが、このような構成に代えて、次のように構成するものでもよい。
すなわち、上記実施形態の可動ルーバーと同様な構成の可動ルーバー１５が回転軸芯方向に沿って並ぶ状態で左右２個設けられ、それらの２個の可動ルーバー１５が各別に向き変更用電動モータＭにより同一又は略同一軸芯周りで回動操作自在に設けられる構成である。
説明を加えると、図１２及び図１３に示すように、前記２個の可動ルーバー１５は、上記実施形態の可動ルーバーと同様に、前記幅広案内壁２０と前記幅狭案内壁２１とを前記接続壁２２で接続する構成であり、各可動ルーバー１５における前記幅広案内壁２０の吹き出し方向側の先端面２０ａに複数のミストノズル２４が回転軸芯方向に間隔をあけて設けられる。そして、一対の向き変更用電動モータＭが前記固定側筒部１９の左右両横側に夫々設けられ、前記２個の可動ルーバー１５夫々の一方の回動用支軸３０が向き変更用電動モータＭの駆動軸に連動連結される。一方、前記各可動ルーバー１５夫々の他方の回動用支軸３１が互いに向かい合う状態で設けられ、且つ、前記固定側筒部１９の軸芯方向の中央部を挿通する状態で配管される温水供給路３４から一対の給湯用接続継手３２を分岐させる状態で設け、前記各回動用支軸３１夫々を、上記実施形態と同様にして、給湯用接続継手３２に回動自在に嵌合接続して保持部材３３により抜け止め保持される構成となっている。又、図１２に示すように、前記給湯用接続継手３２等のノズル用の配管が設けられる箇所は、前記固定側筒部１９に設けられたカバー体１９Ａにて覆われ、浴室１側に露呈せず美観を損ねることがないようにしている。
【００７８】
（１０）上記実施形態では、前記ミストノズル２４が前記可動ルーバー１５における前記グリル板８の浴室側表面よりも浴室１側に突出する箇所に設けられる構成としたが、このような構成に限らず、前記ミストノズル２４を前記可動ルーバー１５における前記グリル板８の浴室側表面よりも装置内側側の箇所に設ける構成としてもよい。
【００７９】
（１１）上記実施形態では、前記ミストノズル２４が前記可動ルーバー１５に３個並べて設けられる構成としたが、３個に限らず、ミストノズル２４を可動ルーバー１５に１個又は２個設ける構成としてもよく、４個以上並べて設ける構成としてもよい。
【図面の簡単な説明】
【００８０】
【図１】浴室の斜視図
【図２】分解斜視図
【図３】グリル板を外した状態の底面図
【図４】全体概略構成図
【図５】可動ルーバーの分解斜視図
【図６】温水供給用接続構造を示す断面図
【図７】ミストノズルの噴出状態を示す図
【図８】吹き出し方向の変更状態を示す図
【図９】別実施形態のミストノズルの噴出状態を示す図
【図１０】別実施形態のミストノズルの噴出方向の変更を示す図
【図１１】別実施形態のミストノズルを示す図
【図１２】別実施形態のグリル板を外した状態の底面図
【図１３】別実施形態の可動ルーバーの分解斜視図
【符号の説明】
【００８１】
１            浴室
２            通風手段
８            グリル板
９            吸気部
１０          吹き出し部
１３          加熱手段
１５          可動ルーバー
２０，２１    案内壁
２４          ミストノズル
２５，２６    流路形成部材
２７          シール部材
２８          接続体
【図１】
2008307115.tif 000003
【図２】
2008307115.tif 000004
【図３】
2008307115.tif 000005
【図４】
2008307115.tif 000006
【図５】
2008307115.tif 000007
【図６】
2008307115.tif 000008
【図７】
2008307115.tif 000009
【図８】
2008307115.tif 000010
【図９】
2008307115.tif 000011
【図１０】
2008307115.tif 000012
【図１１】
2008307115.tif 000013
【図１２】
2008307115.tif 000014
【図１３】
2008307115.tif 000015